(57)【要約】【課題】検出精度の低下を抑制することができる触覚呈示装置を提供する。【解決手段】触覚呈示装置１は、例えば、操作面２００に対してプッシュ操作がなされる操作部２と、操作面２００になされたプッシュ操作に伴う荷重を検出すると共に変形の方向に基づいて分極の方向が異なる複数の分極領域を有する圧電体４０１を具備するアクチュエータ４と、を備えて概略構成されている。この触覚呈示装置は、検出精度の低下を抑制することができる。【選択図】図２
2018132853.tif 000002
【特許請求の範囲】
【請求項１】
操作面に対してプッシュ操作がなされる操作部と、
前記操作面になされたプッシュ操作に伴う荷重を検出すると共に変形の方向に基づいて分極の方向が異なる複数の分極領域を有する圧電体を具備するアクチュエータと、
を備えた触覚呈示装置。
【請求項２】
前記圧電体は、前記圧電体の中央部分であって厚み方向に分極された第１の分極領域と、前記圧電体の前記中央部分の周辺部分であって前記厚み方向と交差する方向に分極された第２の分極領域と、を有する、
請求項１に記載の触覚呈示装置。
【請求項３】
前記アクチュエータは、荷重を検出すると共に前記操作面に振動を付加するように構成され、
前記操作面に接触した操作指の位置を検出する検出部と、
前記操作面に規定された複数の領域ごとに基準荷重を付加して検出された荷重に基づいて領域ごとに定められた荷重しきい値、及び前記アクチュエータを駆動するための領域ごとの駆動信号を有し、操作指が検出された領域の荷重しきい値に基づいて操作を判定すると共に当該領域に対応する駆動信号によって前記アクチュエータを駆動して触覚フィードバックを呈示する制御部と、
を備えた請求項１又は２に記載の触覚呈示装置。
【発明の詳細な説明】
【技術分野】
【０００１】
本発明は、触覚呈示装置に関する。
【背景技術】
【０００２】
従来の技術として、入力部と、入力部に設けられた複数の振動部と、押圧された入力位置に応じて、複数の振動部のうち一部の振動部を振動させる制御部と、を備えた触覚伝達装置が知られている（例えば、特許文献１参照。）。
【０００３】
この触覚伝達装置は、振動部として圧電素子を使用し、またこの圧電素子によって入力部に付加された荷重を検出するように構成されている。
【先行技術文献】
【特許文献】
【０００４】
【特許文献１】特開２０１１−９０６１５号公報
【発明の概要】
【発明が解決しようとする課題】
【０００５】
このような触覚伝達装置の中には、例えば、入力部の端の領域に対して押圧した場合、入力部が傾いて圧電素子に荷重を付加するため、圧電素子の周辺部分に厚み方向と交差する方向のせん断力が生じて荷重の検出精度が低下する問題がある。
【０００６】
従って本発明の目的は、検出精度の低下を抑制することができる触覚呈示装置を提供することにある。
【課題を解決するための手段】
【０００７】
本発明の一態様は、操作面に対してプッシュ操作がなされる操作部と、操作面になされたプッシュ操作に伴う荷重を検出すると共に変形の方向に基づいて分極の方向が異なる複数の分極領域を有する圧電体を具備するアクチュエータと、を備えた触覚呈示装置を提供する。
【発明の効果】
【０００８】
本発明によれば、検出精度の低下を抑制することができる。
【図面の簡単な説明】
【０００９】
【図１】図１（ａ）は、実施の形態に係る触覚呈示装置の一例を示す概略図であり、図１（ｂ）は、図１（ａ）のI（ｂ）-I（ｂ）線で切断した断面を矢印方向から見た断面図の一例である。
【図２】図２（ａ）は、実施の形態に係る触覚呈示装置のアクチュエータの一例を示す概略図であり、図２（ｂ）は、アクチュエータの一例を示す側面図であり、図２（ｃ）は、分極の方向の一例を示す概略図であり、図２（ｄ）は、分極の方向の変形例を示す概略図である。
【図３】図３（ａ）は、実施の形態に係る触覚呈示装置のブロック図の一例であり、図３（ｂ）は、触覚呈示装置が有するデータベースの一例を示す概略図である。
【図４】図４（ａ）〜図４（ｄ）は、実施の形態に係る触覚呈示装置のアクチュエータの製造方法の一例を説明するための概略図である。
【図５】図５は、実施の形態に係る触覚呈示装置の動作の一例を示すフローチャートである。
【発明を実施するための形態】
【００１０】
（実施の形態の要約）
実施の形態に係る触覚呈示装置は、操作面に対してプッシュ操作がなされる操作部と、操作面になされたプッシュ操作に伴う荷重を検出すると共に変形の方向に基づいて分極の方向が異なる複数の分極領域を有する圧電体を具備するアクチュエータと、を備えて概略構成されている。
【００１１】
この触覚呈示装置は、圧電体の変形の方向に基づいて分極の方向が異なるので、この構成を採用しない場合と比べて、厚み方向以外の方向に変形しても適切な出力が得られて操作部に付加された荷重の検出精度の低下を抑制することができる。
【００１２】
[実施の形態]
（触覚呈示装置１の概要）
図１（ａ）は、実施の形態に係る触覚呈示装置の一例を示す概略図であり、図１（ｂ）は、図１（ａ）のI（ｂ）-I（ｂ）線で切断した断面を矢印方向から見た断面図の一例である。図２（ａ）は、実施の形態に係る触覚呈示装置のアクチュエータの一例を示す概略図であり、図２（ｂ）は、アクチュエータの一例を示す側面図であり、図２（ｃ）は、分極の方向の一例を示す概略図であり、図２（ｄ）は、分極の方向の変形例を示す概略図である。図３（ａ）は、実施の形態に係る触覚呈示装置のブロック図の一例であり、図３（ｂ）は、触覚呈示装置が有するデータベースの一例を示す概略図である。図２（ｂ）及び図２（ｃ）は、分極の概略を示している。
【００１３】
なお、以下に記載する実施の形態に係る各図において、図形間の比率は、実際の比率とは異なる場合がある。また図３（ａ）では、主な信号や情報の流れを矢印で示している。
【００１４】
この触覚呈示装置１は、例えば、車両のステアリングに配置され、車両に搭載された電子機器を操作するように構成されている。また触覚呈示装置１は、例えば、ステアリングを把持した状態で親指などの操作指によって操作される小型の操作装置である。なお触覚呈示装置１の配置は、これに限定されず、例えば、電子機器の操作部として、当該電子機器の表示部などの近くに配置されても良い。
【００１５】
触覚呈示装置１は、例えば、図１（ａ）〜図２（ｂ）に示すように、操作面２００に対してプッシュ操作がなされる操作部２と、操作面２００になされたプッシュ操作に伴う荷重を検出すると共に変形の方向に基づいて分極の方向が異なる複数の分極領域を有する圧電体４０１を具備するアクチュエータ４と、を備えて概略構成されている。
【００１６】
圧電体４０１は、例えば、図２（ａ）〜図２（ｃ）に示すように、圧電体４０１の中央部分であって厚み方向に分極された第１の分極領域４０５と、圧電体４０１の中央部分の周辺部分であって厚み方向と交差する方向に分極された第２の分極領域４０６と、を有している。なお分極の数は、これに限定されず、圧電体４０１の形状やプッシュ操作がなされる領域の形状などに応じてさらに複数であっても良い。
【００１７】
そして触覚呈示装置１は、例えば、図３（ａ）に示すように、さらに、操作面２００に接触した操作指の位置を検出する検出部としてのタッチセンサ３と、操作面２００に規定された複数の領域ごとに基準荷重を付加して検出された荷重に基づいて領域ごとに定められた荷重しきい値、及びアクチュエータ４を駆動するための領域ごとの駆動信号Ｓ３を有し、操作指が検出された領域の荷重しきい値に基づいて操作を判定すると共に当該領域に対応する駆動信号Ｓ３によってアクチュエータ４を駆動して触覚フィードバックを呈示する制御部８と、を備えて概略構成されている。
【００１８】
従って触覚呈示装置１は、操作部２に付加された荷重を検出すると共に振動による触覚フィードバックを呈示するように構成されている。
【００１９】
この操作面２００は、例えば、図１（ａ）及び図１（ｂ）に示す操作部２の表面である。そして操作面２００は、一例として、中央の領域（中央領域２７）、及び中央の領域を挟んで位置する複数の領域（上領域２３〜右領域２６）に規定されている。なお操作面２００の領域の規定は、これに限定されず、触覚呈示装置１の仕様に応じて任意に設定することが可能である。
【００２０】
ここで触覚呈示装置１が表示装置に表示されたカーソルの移動を指示できる場合、操作者は、例えば、上領域２３を押すことでカーソルを上方向に移動させ、下領域２４を押すことで下方向、左領域２５を押すことで左方向、右領域２６を押すことで右方向に移動させることができる。そして例えば、操作者が所望のアイコンなどをカーソルで選択した状態で中央領域２７を押すと、選択されたアイコンの機能の実行が決定される。
【００２１】
触覚呈示装置１は、一例として、領域に対してプッシュ操作が判定された場合、ボタンを押し込んだ際のクリック感などを模した触覚フィードバックを呈示する。なお触覚フィードバックは、これに限定されず、操作を受け付けたことを示す触覚などであっても良い。
【００２２】
（操作部２の構成）
操作部２は、例えば、タッチセンサ３と、基部２０と、を備えて概略構成されている。また操作部２は、例えば、図１（ｂ）に示すように、アクチュエータ４との間に押子５を有している。操作部２に付加された荷重は、押子５を介してアクチュエータ４に作用する。またアクチュエータ４が生成した振動は、押子５を介して操作部２に伝達される。
【００２３】
タッチセンサ３は、基部２０に貼り合わされている。この基部２０は、例えば、図１（ａ）に示すように、樹脂を用いて円板形状に形成され、その表面である操作面２００には印刷やレーザなどによって上下左右方向の矢印や文字が形成されている。
【００２４】
なお変形例として基部２０は、例えば、光を遮光する遮光領域と光を透過する透過領域が表面に形成された透明な樹脂で形成され、タッチセンサ３との間に発光部を有する基板が配置されても良い。この場合、発光部からの光が基部２０内部を伝達して透過領域から出射するので、透過領域が照明される。
【００２５】
また変形例として操作部２は、上面視において円形や対称な形状に限定されず、他の形状であっても良い。
【００２６】
（タッチセンサ３の構成）
タッチセンサ３は、例えば、図１（ｂ）に示すように、基板３０と、電極部３１と、を備えて概略構成されている。タッチセンサ３は、操作部２の形状に応じて円板形状を有している。基板３０は、例えば、リジット基板である。この基板３０の表面３０ａ側には、タッチセンサ３の電極部３１が取り付けられ、裏面３０ｂ側には、押子５が取り付けられている。
【００２７】
このタッチセンサ３は、例えば、静電容量方式のタッチセンサである。そしてタッチセンサ３は、少なくとも操作面２００に規定された上領域２３〜中央領域２７のいずれの領域に操作指が接触しているのかを判定するための検出信号Ｓ１を出力するように構成されている。
【００２８】
タッチセンサ３の電極部３１は、例えば、上領域２３〜中央領域２７の形状に応じた形状の検出電極を有している。そしてタッチセンサ３は、領域ごとに検出した静電容量の信号である検出信号Ｓ１を制御部８に出力するように構成されている。
【００２９】
なお変形例としてタッチセンサ３は、複数の駆動電極と、駆動電極と絶縁されて交差する複数の検出電極と、を有し、駆動電極と検出電極の全ての組み合わせで検出された静電容量を検出信号Ｓ１として制御部８に出力するように構成されても良い。そして制御部８は、例えば、検出信号Ｓ１に基づいて操作面２００に設定された座標系における操作指が検出された座標から領域を判定する。
【００３０】
この上領域２３は、図１（ａ）の紙面において上向きの矢印の周囲の点線で囲まれた領域である。また下領域２４は、下向きの矢印の周囲の点線で囲まれた領域である。また左領域２５は、左向きの矢印の周囲の点線で囲まれた領域である。また右領域２６は、右向きの矢印の周囲の点線で囲まれた領域である。そして中央領域２７は、操作部２の中心の点線の円で囲まれた領域である。なお他の点線よりも間隔の広い点線で囲まれた円は、アクチュエータ４の外形を示している。
【００３１】
上述の押子５は、例えば、樹脂によって円柱形状に形成され、操作部２の荷重をアクチュエータ４に伝達するものである。
【００３２】
（アクチュエータ４の構成）
アクチュエータ４は、例えば、図１（ｂ）に示すように、圧電素子４０と、金属シム４１と、を備えたユニモルフ型の圧電アクチュエータである。
【００３３】
このアクチュエータ４は、例えば、図１（ｂ）に示すように、支持部１０に形成された取付部１４に取り付けられている。この取付部１４は、アクチュエータ４の金属シム４１が嵌り込む形状を有している。そして取付部１４には、操作面２００に付加された荷重、及び操作面２００に付加する振動によるアクチュエータ４の撓みを許容する凹部１２が形成されている。この凹部１２は、取付部１４の底面に形成されている。
【００３４】
圧電素子４０は、例えば、図２（ａ）及び図２（ｂ）に示すように、円板形状を有し、圧電体４０１を第１の電極４００と第２の電極４０２で挟んで概略構成されている。この圧電体４０１の材料としては、例えば、ニオブ酸リチウム、チタン酸バリウム、チタン酸鉛、チタン酸ジルコン酸鉛（ＰＺＴ）、メタニオブ酸鉛、ポリフッ化ビニリデン（ＰＶＤＦ）などが用いられる。圧電体４０１は、例えば、これらの材料を用いて形成された膜を積層して形成された積層型の圧電体である。
【００３５】
第１の電極４００は、金属シム４１及び配線を介して制御部８と電気的に接続されている。また第２の電極４０２は、配線を介して制御部８と電気的に接続されている。
【００３６】
金属シム４１は、例えば、図２（ａ）に示すように、圧電素子４０よりも半径が大きい円板形状を有している。この金属シム４１は、例えば、導電性を有するリン青銅やステンレスなどによって形成されている。
【００３７】
アクチュエータ４は、操作面２００に荷重が付加されると、操作部２を介して押子５によって圧電素子４０に荷重が付加され圧電素子４０が変形する。圧電素子４０は、この変形に応じた電圧を出力する。また圧電素子４０は、第１の電極４００及び第２の電極４０２の間に電圧が印加されるとこの電圧に応じて変形する。アクチュエータ４は、荷重に応じて出力した電圧を荷重信号Ｓ２として制御部８に出力し、制御部８から出力された駆動信号Ｓ３に基づく電圧に応じて変形して金属シム４１と共に振動するように構成されている。
【００３８】
ここで圧電体４０１は、上述のように、中央部分が厚み方向に分極されている。厚み方向の分極は、圧電定数のｄ定数がｄ３３であってｄ３３モードと言われ、厚み方向の変形において適切な出力が得られる分極方向である。
【００３９】
図１（ｂ）に示すように、操作者が操作部２の中央部分に操作指９を接触させてプッシュ操作を行った場合、下向きの矢印で示すように、圧電体４０１にはほぼ下向きに荷重がかかるので、厚み方向の変形が生じて適切な出力が得られる。
【００４０】
しかし操作者が中央部分から外れた周辺部分（例えば左領域２５の端部）に操作指９を接触させてプッシュ操作を行った場合、操作部２が傾いて横向きの矢印で示すせん断力が作用して厚み方向と交差する方向にも圧電体４０１が変形する。圧電体４０１の全体が厚み方向に分極していた場合、中央部分の際に出力される電圧よりも周辺部分の方が小さい電圧が出力され、プッシュ操作が判定されない可能性がある。
【００４１】
そこで本実施の形態では、周辺部分の分極を厚み方向と交差する方向、つまりせん断力が作用する方向に適した方向とし、ｄ定数がｄ１５となるｄ１５モードを利用して荷重に応じた出力がなされるように構成されている。アクチュエータ４は、このｄ１５モードによって操作部２のどの領域においてプッシュ操作が行われても安定した出力を行うことが可能となる。
【００４２】
従って第１の分極領域４０５は、例えば、図２（ａ）の紙面において中央の円形の領域であり、厚み方向に分極している。また第２の分極領域４０６は、第１の分極領域４０５を中心としたドーナツ形状を有し、中心に向かって分極している。なお変形例として分極の方向は、例えば、図２（ｄ）に示すように、ｄ定数がｄ１５となる方向であれば、中心と外に向かう方向であっても良いし、外に向かう方向であっても良いし、斜め方向であっても良い。
【００４３】
また圧電体４０１は、分極することにより、振動の呈示においても領域による振動の伝達の差が抑制される。従って触覚呈示装置１は、圧電体４０１が分極されることにより、プッシュ操作がなされた領域に依らず十分な触覚フィードバックを呈示することができる。
【００４４】
（制御部８の構成）
制御部８は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部８が動作するためのプログラムと、データベース８０と、が格納されている。ＲＡＭは、例えば、一時的に演算結果などを格納する記憶領域として用いられる。また制御部８は、その内部にクロック信号を生成する手段を有し、このクロック信号に基づいて動作を行う。
【００４５】
この制御部８は、アクチュエータ４から出力された荷重信号Ｓ２を荷重に変換するように構成されている。
【００４６】
データベース８０は、例えば、図３（ｂ）に示すように、領域ごとの荷重しきい値及び駆動波形と、タッチしきい値Ｔｈ１０を有している。
【００４７】
荷重しきい値Ｔｈ１〜荷重しきい値Ｔｈ５は、領域ごとに基準荷重を付加し、その結果アクチュエータ４が検出した荷重に基づいて定められたしきい値である。具体的には、上領域２３の荷重しきい値Ｔｈ１は、上領域２３に基準荷重を付加した際に検出された荷重に基づいて定められる。同様に、下領域２４〜中央領域２７の荷重しきい値Ｔｈ２〜荷重しきい値Ｔｈ５は、下領域２４〜中央領域２７ごとに基準荷重を付加した際に検出された荷重に基づいて定められる。
【００４８】
アクチュエータ４は、上述のように、分極の方向によって出力に差が生じるので分極方向を変えているがさらに領域ごとに荷重しきい値を定めることによってより精度の良い荷重の検出ができる。
【００４９】
駆動波形Ｗａ１〜駆動波形Ｗａ５は、領域ごとの駆動信号Ｓ３に関する情報である。この駆動波形Ｗａ１は、基準波形を有する駆動信号Ｓ３によって生成された触覚フィードバックに基づいて振幅や振動数などを変更し、操作者が十分に触覚フィードバックを認知できるように定められた波形である。同様に、駆動波形Ｗａ２〜駆動波形Ｗａ５は、基準波形を有する駆動信号Ｓ３によって生成された触覚フィードバックに基づいて振幅や振動数などをそれぞれ変更し、操作者が十分に触覚フィードバックを認知できるように定められた波形である。
【００５０】
なお変形例として制御部８は、領域ごとの駆動信号Ｓ３をデータベース８０に格納していても良い。また制御部８は、領域ごとの駆動波形又は駆動信号を関数としてデータベース８０に格納していても良い。
【００５１】
タッチしきい値Ｔｈ１０は、タッチセンサ３に対する接触を判定するためのしきい値である。制御部８は、入力する検出信号Ｓ１に基づいてタッチしきい値Ｔｈ１０以上の静電容量が検出された領域を判定する。
【００５２】
制御部８は、検出信号Ｓ１に基づく領域ごとの静電容量とデータベース８０から読み出したタッチしきい値Ｔｈ１０とを比較して操作指が接触した領域を判定する。次に制御部８は、領域が判定されると、当該領域に対応する荷重しきい値をデータベース８０から読み出して荷重信号Ｓ２に基づく荷重と比較する。そして制御部８は、荷重が荷重しきい値以上であり、当該領域に対するプッシュ操作が判定された場合、触覚フィードバックを生成するため、当該領域の駆動波形をデータベース８０から読み出して駆動信号Ｓ３を生成してアクチュエータ４を駆動し、触覚フィードバックを呈示する。
【００５３】
制御部８は、判定結果に基づいてプッシュ操作がなされた領域の情報などを含む操作情報Ｓ４を生成して接続されている電子機器に出力する。
【００５４】
ここで本実施の形態のアクチュエータ４の製造方法について説明する。
【００５５】
（アクチュエータ４の製造方法）
図４（ａ）〜図４（ｄ）は、実施の形態に係る触覚呈示装置のアクチュエータの製造方法の一例を説明するための概略図である。図４（ｂ）及び図４（ｃ）では、使用されている分極用電極に斜線を施している。
【００５６】
まず図４（ａ）に示すように、圧電体４０１を用意し、第１の分極領域４０５を挟むように第１の分極用電極４５と第２の分極用電極４６を圧電体４０１に接触させる。そして第２の分極用電極４６を囲むように、第２の分極領域４０６に応じて第３の分極用電極４７を圧電体４０１に接触させる。なお第３の分極用電極４７は、厚み方向の分極の形成が終了した後、圧電体４０１に接触させても良い。
【００５７】
次に図４（ｂ）に示すように、第１の分極用電極４５を負極、第２の分極用電極４６を正極として電圧を印加する。この電圧の印加によって、圧電体４０１の第１の分極領域４０５は、矢印で示すように、厚み方向に分極される。
【００５８】
次に図４（ｃ）に示すように、第１の分極用電極４５を負極、第３の分極用電極４７を正極として電圧を印加する。この電圧の印加によって、圧電体４０１の第２の分極領域４０６は、矢印に示すように、中心に向かう方向に分極される。なお分極用電極の形状などを工夫することによって、変形例に示したように、方向が互いに逆転した分極などを形成することができる。
【００５９】
次に図４（ｄ）に示すように、分極がなされた圧電体４０１に第１の電極４００及び第２の電極４０２を取り付け、さらに金属シム４１を取り付けてアクチュエータ４が得られる。
【００６０】
続いて以下に本実施の形態の触覚呈示装置１の動作について図５のフローチャートに従って説明する。
【００６１】
（動作）
触覚呈示装置１の制御部８は、タッチセンサ３から取得した検出信号Ｓ１に基づく領域ごとの静電容量と、データベース８０から読み出したタッチしきい値Ｔｈ１０と、を比較して操作指が接触するか否かを監視する。
【００６２】
制御部８は、ステップ１の「Ｙｅｓ」が成立する、つまり操作指の接触が検出されると（Ｓｔｅｐ１：Ｙｅｓ）、接触が検出された領域の荷重しきい値をデータベース８０から読み出して荷重信号Ｓ２に基づく荷重と比較し、プッシュ操作が行われるか否かを監視する（Ｓｔｅｐ２）。
【００６３】
制御部８は、荷重が荷重しきい値以上であってプッシュ操作が判定された場合（Ｓｔｅｐ３：Ｙｅｓ）、データベース８０から接触が検出された領域の駆動波形を読み出して駆動信号Ｓ３を生成し、アクチュエータ４に出力し、触覚フィードバックを呈示する（Ｓｔｅｐ４）。
【００６４】
ここでステップ３において制御部８は、プッシュ操作が判定されず（Ｓｔｅｐ３：Ｎｏ）、また操作が継続していない、つまり操作指の接触が検出されなくなった場合（Ｓｔｅｐ５：Ｎｏ）、処理を終了する。またステップ５において制御部８は、操作指の接触が継続して検出されている場合（Ｓｔｅｐ５：Ｙｅｓ）、ステップ３に処理を進めてプッシュ操作の判定を行う。
【００６５】
（実施の形態の効果）
触覚呈示装置１は、圧電体４０１の変形の方向に基づいて分極の方向が異なるので、この構成を採用しない場合と比べて、第２の分極領域４０６が変形してもｄ１５モードによって厚み方向の変形による出力に近い適切な出力が得られて操作部２に付加された荷重の検出精度の低下を抑制することができる。また触覚呈示装置１は、荷重の検出と同様に、分極されることで、プッシュ操作が行われた領域に依らず十分な触覚フィードバックを呈示することができる。
【００６６】
触覚呈示装置１は、領域ごとの荷重しきい値により、分極による適切な出力を補ってさらに出力差を抑制するので、この構成を採用しない場合と比べて、安定した荷重の検出を行うことができる。また触覚呈示装置１は、領域ごとの駆動波形により、分極による適切な触覚フィードバックの呈示を補ってさらに操作者が認知し易い十分な触覚フィードバックを呈示することができる。
【００６７】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００６８】
１…触覚呈示装置、２…操作部、３…タッチセンサ、４…アクチュエータ、５…押子、８…制御部、９…操作指、１０…支持部、１２…凹部、１４…取付部、２０…基部、２３…上領域、２４…下領域、２５…左領域、２６…右領域、２７…中央領域、３０…基板、３０ａ…表面、３０ｂ…裏面、３１…電極部、４０…圧電素子、４１…金属シム、４５…第１の分極用電極、４６…第２の分極用電極、４７…第３の分極用電極、８０…データベース、２００…操作面、４００…第１の電極、４０１…圧電体、４０２…第２の電極、４０５…第１の分極領域、４０６…第２の分極領域
【図１】
2018132853.tif 000003
【図２】
2018132853.tif 000004
【図３】
2018132853.tif 000005
【図４】
2018132853.tif 000006
【図５】
2018132853.tif 000007